(57)【要約】【課題】コンテンツ・ソフトの購入者は、現物のコンテンツ・ソフトで認識している商品イメージのままで店舗に陳列されているものを識別して正確かつ容易に購入選択することができ、また販売店側にとっては余分な在庫を持つことなく豊富なラインナップを揃えることができるコンテンツ・ソフト関連商品の販売方法の提供を目的とする。【解決手段】コンテンツ・ソフト関連商品を特定することのできる表示体２にバーコード等の当該コンテンツ・ソフト固有の品番コード３を付し、これを店舗１に陳列する。購入者が購入を希望するコンテンツ・ソフトの表示体を選択し、店舗のコンピュータ端末５がその表示体の品番コードを読み取ると、このコンピュータ端末からネットワーク接続されたコンテンツ・ソフトの在庫又は／及び製作を管理するサーバー６に対して前記品番コードのデータが送られてコンテンツ・ソフトの発注が行われる。【選択図】  図１
2004240527.tif 000002
【特許請求の範囲】
【請求項１】
音楽ＣＤ、レコード、録音済みカセットテープ、ＤＶＤ、録画済みビデオ、録画済み光磁気ディスク、ゲームソフト等のコンテンツ・ソフト関連商品を特定することのできる表示体にバーコード等の当該コンテンツ・ソフト固有の品番コードを付し、これを店舗に陳列し、購入者が購入を希望するコンテンツ・ソフトの表示体を選択し、店舗のコンピュータ端末がその表示体の品番コードを読み取ると、このコンピュータ端末からネットワーク接続されたコンテンツ・ソフトの在庫又は／及び製作を管理するサーバーに対して前記品番コードのデータが送られてコンテンツ・ソフトの発注が行われることを特徴とするコンテンツ・ソフト関連商品の販売方法。
【請求項２】
表示体は、発売から日数を経て在庫流動性が低い旧譜の音楽ＣＤ、旧譜のＤＶＤ等のコンテンツ・ソフト関連商品を特定することのできるものとしたことを特徴とする請求項１記載のコンテンツ・ソフト関連商品の販売方法。
【請求項３】
表示体は、音楽ＣＤ、レコード、録音済みカセットテープ、ＤＶＤ、録画済みビデオ、録画済み光磁気ディスク、ゲームソフト等のコンテンツ・ソフト関連商品のジャケット等の外装表示体としたことを特徴とする請求項１記載のコンテンツ・ソフト関連商品の販売方法。
【請求項４】
表示体は、音楽ＣＤ、レコード、録音済みカセットテープ、ＤＶＤ、録画済みビデオ、録画済み光磁気ディスク、ゲームソフト等のコンテンツ・ソフト関連商品のジャケット等の外装表示体の複製体としたことを特徴とする請求項１記載のコンテンツ・ソフト関連商品の販売方法。
【請求項５】
表示体は、音楽ＣＤ、レコード、録音済みカセットテープ、ＤＶＤ、録画済みビデオ、録画済み光磁気ディスク、ゲームソフト等のコンテンツ・ソフト関連商品のジャケット等の外装表示体の表紙面体としたことを特徴とする請求項１記載のコンテンツ・ソフト関連商品の販売方法。
【請求項６】
表示体は、音楽ＣＤ、レコード、録音済みカセットテープ、ＤＶＤ、録画済みビデオ、録画済み光磁気ディスク、ゲームソフト等のコンテンツ・ソフト関連商品を特定することができるべくオリジナルのジャケットによらず新たに創出することを特徴とする請求項１記載のコンテンツ・ソフト関連商品の販売方法。
【請求項７】
表示体は、紙又は／及び合成樹脂シートから構成することを特徴とする請求項１記載のコンテンツ・ソフト関連商品の販売方法。
【発明の詳細な説明】
【０００１】
【発明の属する技術分野】
本発明は、音楽ＣＤ，レコード、録音済みカセットテープ、ＤＶＤ（映画、音楽等）、録画済みビデオ、録画済み光磁気ディスク、ゲームソフト等の商品販売方法に係り、特に発売されて間もない新譜に対し旧譜と称される発売から日数を経過したコンテンツ・ソフト関連商品の販売に用いて有用なコンテンツ・ソフト関連商品の販売方法に関する。
【０００２】
【従来の技術】
従来、店舗において音楽ＣＤ、レコード、録音済みカセットテープ、ＤＶＤ、録画済みビデオ、録画済み光磁気ディスク、ゲームソフト等のコンテンツ・ソフト関連商品を販売するに際し、発売されて間もない新譜は宣伝されたり、放送・出版等のメディアに現れたりする機会も多いことから、売れ行きがよく在庫を持ってもすぐに売れていくが、発売から日を重ねて行くに連れ徐々に売れ行きが減退していくのが、多く見られる傾向である。
【０００３】
そして、特に音楽ＣＤにおいて発売後数ヶ月以上経過した所謂「旧譜」と称されるコンテンツ・ソフトの店舗における販売傾向としては、発売間もない新譜との販売比率からすると、僅かなタイトル数（例えば数百種）の新譜の売上が、それ以外の大多数（例えば数万種）の旧譜の売上よりも多いことは常であり、それ故在庫流動性の低い旧譜により多くの販売床面積を占めさせることは販売効率の点からは決して好ましいことではなかった。しかしながら、新譜のみを販売する店舗とすることは陳列ラインナップの特徴に欠け、店舗としての魅力を損なう虞があった。旧譜を数多くラインナップさせることは、購入者に新たな購買需要を喚起させるチャンスでもある。そこで、特に販売床面積に余裕のない店舗にあっては、新譜を中心とした陳列とし、旧譜の中でも流動性が低いものについては、客用のカタログ冊子やコンピュータ端末によるデータベース検索システム等を用意しこれで注文させることで、販売効率と新たな需要喚起とのバランスを図ることも多く行われている。
【発明が解決しようとする課題】
【０００４】
しかしながら、カタログ冊子等を用いて注文することは、旧譜コンテンツ・ソフトを購入する側の立場からすると、注文しようとするコンテンツ・ソフトについてタイトルを始め、販売会社、レーベル、品番、出演者、アーティスト等のデータを厚いカタログ冊子を捲って確認・検索することは多大な手間を要することから敬遠されがちであり、またジャケット等の外装表示体はそのコンテンツ・ソフトの商品イメージを代表するものであるが、その外装表示体の画像で検索しようとしても、これに記載されている外装表示体の画像は現物と比較して小さく、現物で認識しているイメージと異なって認識される虞もあった。また店舗側の立場からしても、コンピュータ端末によるデータベース検索システムが存在していても、発注には正確な品番を入力する必要があり、そのためには正確なキーワードを入力して検索しなければならず、うろ覚えであやふやな名称での検索は困難であるとともに、間違いが生じる虞もあった。
【０００５】
そこで本発明は、コンテンツ・ソフトの購入者にとっては、コンテンツ・ソフトの現物で認識している商品イメージのままで店舗に陳列されているものを識別して正確かつ容易に購入選択することができ、また販売店側にとっては余分な在庫を持つことなくコンテンツ・ソフトの豊富なラインナップを取り揃えることができ、特に販売床面積に余裕のない店舗等にあっては更なる売上のアップを図ることもできるコンテンツ・ソフト関連商品の販売方法の提供を目的とする。
【０００６】
【課題を解決するための手段】
上記目的を達成するため、本発明のコンテンツ・ソフト関連商品の販売方法は、音楽ＣＤ、レコード、録音済みカセットテープ、ＤＶＤ、録画済みビデオ、録画済み光磁気ディスク、ゲームソフト等のコンテンツ・ソフト関連商品を特定することのできる表示体にバーコード等の当該コンテンツ・ソフト固有の品番コードを付し、これを店舗に陳列し、購入者が購入を希望するコンテンツ・ソフトの表示体を選択し、店舗のコンピュータ端末がその表示体の品番コードを読み取ると、このコンピュータ端末からネットワーク接続されたコンテンツ・ソフトの在庫又は／及び製作を管理するサーバーに対して前記品番コードのデータが送られてコンテンツ・ソフトの発注が行われることを特徴とするものである。
【０００７】
また、表示体は、発売から日数を経て在庫流動性が低い旧譜の音楽ＣＤ、旧譜のＤＶＤ等のコンテンツ・ソフト関連商品を特定することのできるものとしたことを特徴とするものである。
【０００８】
また、表示体は、音楽ＣＤ、レコード、録音済みカセットテープ、ＤＶＤ、録画済みビデオ、録画済み光磁気ディスク、ゲームソフト等のコンテンツ・ソフトのジャケット等の外装表示体としたことを特徴とするものである。
【０００９】
また、表示体は、音楽ＣＤ、レコード、録音済みカセットテープ、ＤＶＤ、録画済みビデオ、録画済み光磁気ディスク、ゲームソフト等のコンテンツ・ソフトのジャケット等の外装表示体の複製体としたことを特徴とするものである。
【００１０】
また、表示体は、音楽ＣＤ、レコード、録音済みカセットテープ、ＤＶＤ、録画済みビデオ、録画済み光磁気ディスク、ゲームソフト等のコンテンツ・ソフトのジャケット等の外装表示体の表紙面体としたことを特徴とするものである。
【００１１】
また、表示体は、音楽ＣＤ、レコード、録音済みカセットテープ、ＤＶＤ、録画済みビデオ、録画済み光磁気ディスク、ゲームソフト等のコンテンツ・ソフト関連商品を特定することができるべくオリジナルのジャケットによらず新たに創出することを特徴とするものである。
【００１２】
また、表示体は、紙又は／及び合成樹脂シートから構成することを特徴とするものである。
【００１３】
【発明の実施の形態】
本発明のコンテンツ・ソフト関連商品の販売方法は、実存する店舗において、音楽ＣＤ、ＤＶＤ（映画、音楽等）、レコード、録音済みカセットテープ、録画済みビデオ、録画済み光磁気ディスク、ゲームソフト等の商品を販売する方法であって、特に発売後数ヶ月以上経過した旧譜と称されるコンテンツ・ソフトをより効率的に販売するために案出されたものであり、その具体的構成ついて、図１に基づいて以下に詳述する。
【００１４】
まず、店舗１にあっては、コンテンツ・ソフト関連商品のジャケット等の外装表示体そのもの、外装表示体の表紙面体のみ、外装表示体のほぼ原寸大の複製等を用いたもの、又はコンテンツ・ソフト関連商品を特定することができるべくオリジナルのジャケットによらずに新たに創出したものにより、表示体２を作成する。この表示体２の素材は、紙や合成樹脂シート、若しくはこれらを組み合わせてなる薄いシート体とし、さらに汚損しないように合成樹脂フィルムでラミネートしてもよい。そして、この表示体２の裏面（表面でもよい）には、当該コンテンツ・ソフトの品番を表すバーコード等の固有の品番コード３を貼付、若しくは印刷する。
【００１５】
このように現物のコンテンツ・ソフト関連商品と異なり、プラスチックケースもディスク・テープ・カートリッジ等の媒体もないシートのみの薄くて軽い表示体は、店舗における従来のコンテンツ・ソフトの陳列棚４にそのまま並べて陳列する以外にも、薄くて軽いという特長を生かした新たな多数段の傾斜陳列棚を設けたり、はたまた従来設置が難しかった壁面等に簡単な構造の陳列棚を設置したりして効率的に陳列することができる。このようにして、現物のコンテンツ・ソフトの数十分の一以下という薄さで、かつ数百分の一以下の軽さ（１枚ものの外装表示体の表紙面体や複製体の場合）であるという表示体の特長を生かすことで、現物のコンテンツ・ソフトを陳列する従来の方法と比較して、数十倍以上のタイトル数を陳列することも可能となる。
【００１６】
そして店舗を訪れた客は、現物のコンテンツ・ソフトを眺めて検索するのと同じ要領で、現物と同じ外装表示を有する表示体を順にめくり、またピックアップして眺めながら購入選択することができる。そして、購入（発注）を希望するコンテンツ・ソフトが見つかると、客はその表示体を陳列棚から取り出し、店舗のカウンターに持参する。
【００１７】
店舗のカウンターでは、客が持参した表示体を受け取ると、設置しているコンピュータ端末のバーコードリーダー、バーコードスキャナー、ＯＣＲ等の適宜な品番読み取り手段を用いて、表示体に付いている品番コードを読み取る。するとコンピュータ端末５は、読み取った品番コードのデータを、ネットワーク接続しているコンテンツ・ソフトの在庫又は／及び製作を管理するサーバー６に伝える。
【００１８】
次にこのサーバー６は、受け取った品番コードのコンテンツ・ソフトについて在庫があれば担当部署７に出庫手配をし、在庫がなければ担当部署７に製作依頼をする。そして、このサーバーからの情報は、発注した前記店舗のコンピュータ端末５にも伝えられ、店舗のカウンターでは客に対し注文品の納期等を即時に伝えることができる。
【００１９】
尚、上述した実施例にあっては、旧譜のコンテンツ・ソフトについて説明したが、これに限ることなく、新譜のコンテンツ・ソフトについても本発明の方法を適用することができるものである。店舗に現物のコンテンツ・ソフトの代わりに表示体を陳列することは、店舗にとっては現物のコンテンツ・ソフトの盗難防止という効果を発揮する側面も有り、さらに有益である。
【００２０】
【発明の効果】
以上詳述した如く、本発明のコンテンツ・ソフト関連商品の販売方法によれば、コンテンツ・ソフトの購入者にとっては、現物のコンテンツ・ソフトとして認識している商品イメージのままで店舗に陳列されている表示体を識別して正確かつ容易に購入選択することができ、また販売店側にとっては余分な在庫を持つことなくコンテンツ・ソフトの豊富なラインナップを取り揃えることができる
【００２１】
また、表示体は、発売から日数を経て在庫流動性が低いコンテンツ・ソフト関連商品を特定することのできるものとすることで、新譜と比較して在庫の流動性が劣る旧譜コンテンツ・ソフトについて、余分な在庫を持つことなく店舗が取り扱うラインナップとして模擬的に陳列することができ、これにより旧譜コンテンツ・ソフトを豊富にラインナップさせて購入者の新たな需要を喚起させることが可能となる。
【００２２】
また、表示体を、紙又は／及び合成樹脂シートから構成することで、現物のコンテンツ・ソフトの数十分の一以下の薄さで、かつ数百分の一以下の軽さとすることができ、これにより現物のコンテンツ・ソフトを陳列する従来の方法と比較して、数十倍以上のタイトル数を陳列することが可能となる。これにより、販売床面積に余裕のない店舗等にあっては更なる売上のアップを図ることもできる
【図面の簡単な説明】
【図１】本発明のコンテンツ・ソフト関連商品の販売方法を示す説明図である。
【符号の説明】
１  店舗
２  表示体
３  品番コード
４  陳列棚
５  コンピュータ端末
６  サーバー
７  担当部署
【図１】
2004240527.tif 000003